(57)【要約】      （修正有）【課題】マスク使用者に対するマスク本体のずれを抑えるとともに、マスク本体に対してもずれを抑えることができるマスク補助具を提供する。【解決手段】マスク補助具１０は、マスク本体の上縁部の使用者側の面に当接される板状のベース部２１と、ベース部２１に対峙するようにベース部２１に連結されるサポート部２２、２３とを具備する。ベース部２１にはその使用者側の面において使用者の鼻表面に係止するための滑り止め部材３０が張着される。ベース部２１はサポート部２２、２３とともに、マスク本体にその上縁から差し込まれマスク本体を挟持し留める留め具を構成する。サポート部２２、２３は、マスク本体を使用者に装着するために押し広げられるベース部２１にともなって、マスク本体の使用者側の反対面を挟み込み留めるために、所定距離を隔てて配置される２つのサポート部分２２、２３からなる。【選択図】図１
0003230841.tif 000002
【実用新案登録請求の範囲】
【請求項１】
使用者の口鼻を覆うマスク本体の上縁部中央付近に取り付けられるマスク補助具において、
前記マスク本体の上縁部の前記使用者側の面に当接される板状のベース部と、
前記ベース部に対峙するように前記ベース部に連結されるサポート部とを具備し、
前記ベース部は前記サポート部とともに、前記マスク本体にその上縁から差し込まれ前記マスク本体を挟持し留める留め具を構成し、
前記ベース部には前記使用者側の面において前記使用者の鼻表面に係止するための滑り止め部材が設けられ、
前記サポート部は、前記マスク本体を前記使用者に装着するために押し広げられる前記ベース部にともなって前記マスク本体の前記使用者側の反対面を挟み込み留めるために、所定距離を隔てて配置される２つのサポート部分からなる、マスク補助具。
【請求項２】
前記ベース部は、前記使用者の鼻表面の湾曲より小さな曲率の湾曲形状を有する、請求項１に記載のマスク補助具。
【請求項３】
前記ベース部と前記サポート部は、ブリッジ部を介して一体に形成されている、請求項１に記載のマスク補助具。
【請求項４】
前記サポート部分の内側には前記マスク本体を係止するのこぎり波状の凹凸が設けられ、前記ベース部の内側は平坦である、請求項１に記載のマスク補助具。
【請求項５】
前記滑り止め部材は、前記ベース部とは別体として前記ベース部に張着される、請求項１に記載のマスク補助具。
【請求項６】
前記滑り止め部材は、前記ベース部と前記サポート部に比べて軟質な樹脂によって形成されている、請求項５に記載のマスク補助具。
【請求項７】
前記滑り止め部材は、前記ベース部よりも幅狭である、請求項１に記載のマスク補助具。
【請求項８】
前記滑り止め部材は前記ベース部と一体形成される、請求項１に記載のマスク補助具。
【考案の詳細な説明】
【技術分野】
【０００１】
本考案は、マスクに着脱可能に取り付けられ、マスクの位置ズレを防止することができるマスク補助具に関する。
【背景技術】
【０００２】
花粉やウィルス、粉塵等の様々な粒子の吸引を防ぐために、あるいは、咳やくしゃみなどにより発生する飛沫等の拡散を防止するために衛生マスクが用いられている。代表的な衛生マスクとしては、口鼻の形状に沿って形成された立体的なマスク本体を有し、左右の耳掛け部がマスク本体に一体的に成型された立体式衛生マスクが知られている。また、口鼻を覆うと共に複数のプリーツが形成された平面的なマスク本体を有し、左右の耳掛け部がマスク本体の四隅に溶着されたブリーツ式衛生マスクが知られている。いずれの衛生マスクについても、適切な位置に装着することで口鼻に密着し、効果を発揮する。
【０００３】
しかしながら、マスク使用中の会話等により、マスク本体が少しずつ上下方向にずれることがある。このため、マスク本体と口鼻との間に隙間ができて密着性が損なわれる。このため、衛生マスクが使用中にずれることを防止する方法については、例えば、市販のマスクに取り付けて支持する技術（例えば、特許文献１、２参照。）や、マスク自体にずれ防止の機能を設ける技術（例えば、特許文献３参照。）等が提案されている。
【０００４】
上記のマスクずれ防止方法にあっては、市販のマスクへの装着方法が複雑であったり、マスクの製造コストが高まったりする等の問題があった。
【先行技術文献】
【特許文献】
【０００５】
【特許文献１】実用新案登録第３１９２５４０号公報
【特許文献２】特開２０１７−２０１３６号公報
【特許文献３】特開２０１３−２３３４００号公報
【考案の概要】
【考案が解決しようとする課題】
【０００６】
目的は、マスク使用者に対するマスク本体のずれを抑えるとともに、マスク本体に対してもずれを抑えることができるマスク補助具を提供することにある。
【課題を解決するための手段】
【０００７】
本考案の実施形態は、使用者の口鼻を覆うマスク本体の上縁部中央付近に取り付けられるマスク補助具において、マスク本体の上縁部の使用者側の面に当接される板状のベース部と、ベース部に対峙するようにベース部に連結されるサポート部とを具備する。ベース部にはその使用者側の面において使用者の鼻表面に係止するための滑り止め部材が設けられる。ベース部はサポート部とともに、マスク本体にその上縁から差し込まれマスク本体を挟持し留める留め具を構成する。サポート部は、マスク本体を使用者に装着するために押し広げられるベース部にともなって、マスク本体の使用者側の反対面を挟み込み留めるために、所定距離を隔てて配置される２つのサポート部分からなる。
【図面の簡単な説明】
【０００８】
【図１】本考案の第１の実施形態に係るマスク補助具を示す斜視図。
【図２】図１のマスク補助具を示す上面図。
【図３】図１のマスク補助具を示す下面図。
【図４】図１のマスク補助具を示す縦断面図。
【図５】図１のマスク補助具が取り付けられたマスクを示す斜視図。
【図６】図１のマスク補助具を装着したマスクを着用した状態を示す使用者の側面図。
【図７】本考案の第２の実施形態に係るマスク補助具を示す横断面図。
【図８】本考案の第３の実施形態に係るマスク補助具を示す横断面図。
【図９】本考案の第４の実施形態に係るマスク補助具を示す縦断面図。
【考案を実施するための形態】
【０００９】
以下、図１〜６に基づいて、本考案の第１の実施形態について説明する。  
本実施形態に係るマスク補助具１０は、市販の立体式の衛生マスク１００に着脱自在に取り付けられ、装着中の衛生マスク１００の上下方向への位置ずれを防止する機能を有するものである。
【００１０】
図１〜図３に示すように、マスク補助具１０は、比較的硬質な樹脂材（ポリプロピレン樹脂等）製のクリップ部２０と、このクリップ部２０の背面側（鼻Ｎ側）に取り付けられた滑り止め機能を有する樹脂材（シリコン樹脂等）製の滑止部３０とを備えている。
【００１１】
クリップ部２０は、背面側が凹となるようにやや湾曲して形成されたベース部２１と、このベース部２１と同様に背面側が凹となるようにやや湾曲して形成されたサポート部（２２，２３）とを備えている。ベース部２１にたいしてサポート部（２２，２３）は対峙し、ベース部２１はサポート部（２２，２３）とともに、マスク本体１０１にその上縁から差し込まれ、マスク本体１０１を挟持し留める留め具（クリップ）を構成する。
【００１２】
サポート部は、２つのサポート部分２２，２３に分割されている。サポート部分２２とサポート部分２３との間には１〜３ｍｍ程度の間隙を隔てられている。間隙を縦スリット２４という。なお、ベース部２１は、使用者の鼻表面の一般的な湾曲より小さな曲率で湾曲する湾曲形状を有する。マスク本体１０１を使用者に装着する際にはベース部２１は少し押し広げられる。それにともなってサポート部分２２，２３の間隙は狭められ、マスク本体１０１の使用者側の反対面（表面）の一部を挟み込み、留める。
【００１３】
このようにクリップ部２０のクリップと、サポート部分２２，２３の挟み込みとの２つの手段でマスク補助具１０をマスク本体１０１に留めることにより、マスク補助具１０からマスク本体１０１がずれる事態を効果的に回避することができる。
【００１４】
図４に示すように、ベース部２１とサポート部分２２，２３とは、上縁のブリッジ部２５により一体に接合されており、下方及び側方に細長形状の開口２６が形成されている。開口２６はベース部２１とサポート部分２２，２３との間の横スリット２７に連通している。また、サポート部分２２、２３の背面側にはのこぎり波状の凹凸部としての係止部２２ａが形成されている。一方、ベース部２１の内側は平坦である。それによりマスク本体１０１をベース部２１に押し付けたままで、サポート部分２２、２３をベース部２１から離間する方向に押し広げることにより、マスク補助具１０をマスク本体１０１から容易に取り外すことができる。仮に、ベース部２１の内側にものこぎり波状の凹凸部を設けている場合、マスク補助具１０をマスク本体１０１から取り外すためには、サポート部分２２、２３だけでなく、ベース部２１もマスク本体１０１から離間させる必要があり、面倒な作業が必要とされ、またマスク本体１０１を損傷させることもある。
【００１５】
このように構成されたマスク補助具１０は、次のようにして使用する。マスク補助具１０が取り付けられる衛生マスク１００は、図５に示すような構造をしている。すなわち、衛生マスク１００は、使用者Ｈの口鼻を覆うマスク本体１０１と、このマスク本体１０１の左右端に一体的に設けられた耳掛け部１０２，１０３を備えている。マスク本体１０１は口鼻の形状に合わせて立体的に形成され、背面側が凹となるように湾曲されて形成されている。図５中１０１ａはマスク本体１０１の上縁部、１０１ｂはマスク本体１０１の中央の折曲部を示している。
【００１６】
上述した衛生マスク１００に対し、マスク補助具１０を左右方向に移動し、縦スリット２４が衛生マスク１００の折曲部１０１ｂの延長線上に位置するように位置合わせする。そして、マスク補助具１０の開口２６からマスク本体１０１の上縁部１０１ａを挿入し、衛生マスク１００の上縁部１０１ａをブリッジ部２５に突き当てる。この挿入動作により、湾曲状に形成されているベース部２１とサポート部分２２，２３が、マスク本体１０１の形状に倣って湾曲が解消される方向（曲率が大きくなる方向）に変形し、サポート部分２２とサポート部分２３との縦スリット２４の間隙が狭くなり、サポート部分２２とサポート部分２３との間、つまり縦スリット２４に介挿された衛生マスク１００の折曲部１０１ｂが、サポート部分２２とサポート部分２３との間に挟み込まれ、挟持される。それによりマスク補助具１０が衛生マスク１００に固定される。
【００１７】
一方、マスク本体１０１の上縁部１０１ａの近傍は横スリット２７内において鋸状の係止部２２ａ，２３ａによって係止されて脱落しない。このようにマスク本体１０１がマスク補助具１０の縦スリット２４及び横スリット２７により挟持・係止されることにより、マスク補助具１０はマスク本体１０１に固定される。
【００１８】
次に、図６に示すように、マスク補助具１０が取り付けられた衛生マスク１００は、使用者Ｈの鼻Ｎをマスク本体１０１によって覆い、耳掛け部１０２，１０３を両側の耳Ｅに引っ掛けて固定する。このとき、マスク補助具１０の滑止部３０は使用者Ｈの鼻Ｎに当接する。
【００１９】
耳掛け部１０２，１０３を両側の耳Ｅに引っ掛けることにより、マスク本体１０１の上縁部１０１ａはより直線的に変形するため、マスク補助具１０のサポート部分２２とサポート部分２３による折曲部１０１ｂへの挟持力は増大し、より強固に固定される。
【００２０】
なお、衛生マスク１００を廃棄する場合、洗濯する場合等、使用を中止する場合には、マスク補助具１０をマスク本体１０１から上方に引き抜くことにより、再利用が可能となる。
【００２１】
このようにして衛生マスク１００を装着することにより、使用者Ｈの口鼻はマスク本体１０１によって覆われ、花粉やウィルス、粉塵等の様々な粒子の吸引を防ぐために、あるいは、咳やくしゃみなどにより発生する飛沫等の拡散を防止する本来の機能を発揮する。
【００２２】
一方、衛生マスク１００を装着したまま使用者Ｈが会話等をすることで、マスク本体１０１が上下方向にずれる方向に摩擦力が作用する。このとき、マスク補助具１０の滑止部３０が使用者Ｈの鼻Ｎに対し、滑り止めとして作用する。したがって、使用者Ｈによる会話等によってマスク本体１０１の位置ずれが防止され、衛生マスク１００を使用中に使用者Ｈの口鼻が露出することでマスクとしての本来の機能を喪失することはない。また、衛生マスク１００の位置ずれを防止することは、使用者Ｈが手先で衛生マスク１００の位置ずれを修正する等の行為を防止することができ、衛生マスク１００の衛生状態をより適切に維持することが可能となる。
【００２３】
次に、図７に基づいて、本考案の第２の実施形態について説明する。なお、この図において、図１〜６と同一機能部分には同一符号を付し、その説明は省略する。
【００２４】
図７においては、上述したマスク補助具１０の代わりにマスク補助具１０Ａを用いている。マスク補助具１０Ａは、滑止部３０の代わりに、滑止部３０Ａを用いている。滑止部３０Ａは滑止部３０に比べて左右方向における中央部分から両端にかけて厚さ寸法が漸次減少する構造を有している。
【００２５】
このように構成されていると、マスク補助具１０Ａは、上述したマスク補助具１０と同様の効果が得られると共に、ベース部２１と鼻Ｎとの隙間をより狭くすることができ、マスク補助具１０Ａと鼻Ｎとの密着性を向上させることができる。
【００２６】
次に、図８に基づいて、本考案の第３の実施形態について説明する。なお、これらの図において、図１〜７と同一機能部分には同一符号を付し、その説明は省略する。
【００２７】
図８においては、上述したマスク補助具１０の代わりにマスク補助具１０Ｂを用いている。マスク補助具１０Ｂは、滑止部３０の代わりに、滑止部３０Ｂを用いている。滑止部３０Ｂは滑止部３０に比べて左右方向の寸法がベース部２１より長く形成される構造を有している。
【００２８】
このように構成されていると、マスク補助具１０Ｂは、上述したマスク補助具１０と同様の効果が得られると共に、ベース部２１が鼻Ｎに直接的に接することがないことから、ベース部２１と鼻Ｎとの隙間が生じない。したがって、マスク補助具１０Ｂと鼻Ｎとの密着性を向上させることができる。
【００２９】
次に、図９に基づいて、本考案の第４の実施形態について説明する。なお、これらの図において、図１〜８と同一機能部分には同一符号を付し、その説明は省略する。
【００３０】
図９においては、上述したマスク補助具１０の代わりにマスク補助具１０Ｃを用いている。マスク補助具１０Ｃは、係止部２２ａ，２３ａの代わりに、左右方向に延びる凹溝２２ｂ，２３ｂが形成されている。また、立体式の衛生マスク１００の代わりに、ブリーツ式の衛生マスク１１０が用いられている。ブリーツ式の衛生マスク１１０は、口鼻を覆うと共に複数のプリーツが形成された平面的なマスク本体１１１を有している。マスク本体１１１の上部には形状を維持するためのワイヤ１１２が左右方向に沿って設けられている。ワイヤ１１２は上述した凹溝２２ｂ，２３ｂに係止させることができる。
【００３１】
マスク本体１１１は平面的であるため、折曲部がなく、縦スリット２４に挟持させることができない。
【００３２】
このように構成されたマスク補助具１０Ｃを衛生マスク１１０に装着するためには、マスク補助具１０Ｃの開口２６からマスク本体１１１の上縁部１１１ａを挿入し、衛生マスク１００の上縁部１０１ａをブリッジ部２５に突き当てる。この挿入動作により、湾曲状に形成されているベース部２１とサポート部分２２，２３が、マスク本体１１１の形状に倣って湾曲が解消される方向に変形する。一方、マスク本体１１１のワイヤ１１２が凹溝２２ｂ，２３ｂに係止されて脱落しない。このようにマスク本体１１１がマスク補助具１０Ｃの横スリット２７に係止されることにより、マスク補助具１０Ｃはマスク本体１１１に固定される。
【００３３】
このように構成されていると、マスク補助具１０Ｃは、上述したマスク補助具１０と同様の効果が得られると共に、折曲部を有しない衛生マスク１１０にも適用することができる。
【００３４】
なお、上述した滑止部については上記した１つの面状に形成されたものの他、複数に分散して形成されていてもよい。また、ベース部とは別体の樹脂を用いたものの他、ベース部自体を滑り止め機能を有する素材を用いることで一体に形成してもよい。さらに、ベース部にローレット等の摩擦抵抗を増大させる形状を直接形成するようにしてもよい。
【００３５】
なお、上記実施形態に限定されるものではなく、実施段階ではその要旨を逸脱しない区域で種々に変形することが可能である。また、各実施形態は適宜組み合わせて実施してもよく、その場合組み合わせた効果が得られる。更に、上記実施形態には種々の考案が含まれており、開示される複数の構成要件から選択された組み合わせにより種々の考案が抽出され得る。例えば、実施形態に示される全構成要件からいくつかの構成要件が削除されても、課題が解決でき、効果が得られる場合には、この構成要件が削除された構成が考案として抽出され得る。
【符号の説明】
【００３６】
１０，１０Ａ，１０Ｂ，１０Ｃ…マスク補助具、２０…クリップ部、２１…ベース部、２２…サポート部分、２２ａ…係止部、２２ｂ…凹溝、２３…サポート部分、２３ａ…係止部、２３ｂ…凹溝、２４…縦スリット、２５…ブリッジ部、２６…開口、２７…横スリット、３０，３０Ａ，３０Ｂ…滑止部、１００…衛生マスク、１０１…マスク本体、１０１ａ…上縁部、１０１ｂ…折曲部、１０２，１０３…耳掛け部、１１０…衛生マスク、１１１…マスク本体、１１１ａ…上縁部、１１２…ワイヤ。
【図１】
0003230841.tif 000003
【図２】
0003230841.tif 000004
【図３】
0003230841.tif 000005
【図４】
0003230841.tif 000006
【図５】
0003230841.tif 000007
【図６】
0003230841.tif 000008
【図７】
0003230841.tif 000009
【図８】
0003230841.tif 000010
【図９】
0003230841.tif 000011